(57)【要約】【課題】  煩雑な操作を伴うことなく、環境に応じて適切に字幕情報を表示させることができる携帯情報端末装置を提供することを目的とする。【解決手段】  字幕情報抽出部１０３でデジタルテレビ放送波から字幕情報を抽出し、字幕情報表示部１０４が、抽出された字幕情報をテレビ画像に付加して液晶表示器に表示させる。字幕情報表示部１０４は、モード切替部１０１からの入力信号に基づいて、マナーモードが実行されているときには、液晶表示器に字幕情報を表示するように制御を行う。これにより、マナーモードが実行されているかどうかに基づいて、自動的に、液晶表示器に対する字幕情報の表示を行うことができるので、煩雑な操作を伴うことなく、環境に応じて適切に字幕情報を表示させることができる。【選択図】  図２
2007184728.tif 000002
【特許請求の範囲】
【請求項１】
デジタルテレビ放送波を受信して、テレビ画像を表示画面に表示するとともに、テレビ音声をスピーカから出力することができる携帯情報端末装置において、
ユーザ操作に基づいて、上記スピーカから出力される音量を制御するマナーモード制御手段と、
デジタルテレビ放送波から字幕情報を抽出する字幕情報抽出手段と、
上記スピーカから出力される音量が停止状態かどうかに基づいて、抽出した字幕情報をテレビ画像に付加して上記表示画面に表示させる字幕情報表示手段とを備えたことを特徴とする携帯情報端末装置。
【請求項２】
字幕情報の表示又は非表示を設定するための字幕表示設定手段を備え、
上記字幕情報表示手段は、上記スピーカから出力される音量が停止状態のときには、上記字幕表示設定手段により字幕情報を表示させないと設定されている場合であっても、上記表示画面に字幕情報を表示させることを特徴とする請求項１に記載の携帯情報端末装置。
【請求項３】
外部出力装置を着脱可能であり、取り付けられた外部出力装置にテレビ音声を出力するための外部出力端子と、
上記外部出力端子に外部出力装置が取り付けられたかどうかを検出する外部接続検出手段とを備え、
上記字幕情報表示手段は、上記外部接続検出手段の検出結果に基づいて、上記表示画面に字幕情報を表示させることを特徴とする請求項１又は２に記載の携帯情報端末装置。
【発明の詳細な説明】
【技術分野】
【０００１】
本発明は、携帯情報端末装置に係り、さらに詳しくは、デジタルテレビ放送を視聴することができる携帯情報端末装置の改良に関する。
【背景技術】
【０００２】
携帯電話機などの携帯情報端末装置の中には、テレビ局から発信されているテレビ放送波を受信するためのアンテナを備え、テレビ放送波に基づいて表示画面にテレビ画像を表示するとともに、そのテレビ画像に対応するテレビ音声を出力することにより、テレビ放送を視聴することができるようになっているものがある。
【０００３】
この種の携帯情報端末装置の一例として、テレビ音声を文字変換して字幕情報を生成し、その字幕情報を表示画面に表示させることができるようになっているものが提案されている（例えば、特許文献１）。このような携帯情報端末装置によれば、電車内のようにテレビ音声が出力されることにより周囲の人に不快感を与えるような環境下においても、テレビ画像及び字幕情報に基づいてテレビ放送の内容を理解することができる。
【０００４】
一方で、携帯情報端末装置の一例である携帯電話機の中には、着信音やキー操作音などのスピーカからの音声の出力が停止された音声出力停止モード、いわゆるマナーモードを実行できるようになっているものがある。電車内のような環境下においては、マナーモードを実行することにより、着信音やキー操作音がスピーカから出力されて周囲の人に不快感を与えるのを防止できる。
【特許文献１】特開２００５−６４５９２号公報
【発明の開示】
【発明が解決しようとする課題】
【０００５】
上記のような携帯情報端末装置では、例えば、マナーモードが実行されているときには、スピーカからのテレビ音声の出力が停止される。したがって、表示画面に表示されるテレビ画像のみに基づいてテレビ放送の内容を理解しなければならず、その内容の理解が非常に困難になるといった問題がある。
【０００６】
字幕情報を表示画面に表示させることができるような携帯情報端末装置においては、テレビ画像と字幕情報とを表示画面に表示させることにより、テレビ放送の内容の理解を容易にすることも考えられる。しかし、この場合には、字幕情報を表示させるための操作をわざわざ行わなければならないため、操作が煩雑になるといった問題がある。
【０００７】
本発明は、上記の事情に鑑みてなされたものであり、煩雑な操作を伴うことなく、環境に応じて適切に字幕情報を表示させることができる携帯情報端末装置を提供することを目的とする。
【課題を解決するための手段】
【０００８】
第１の本発明による携帯情報端末装置は、デジタルテレビ放送波を受信して、テレビ画像を表示画面に表示するとともに、テレビ音声をスピーカから出力することができる携帯情報端末装置において、ユーザ操作に基づいて、上記スピーカから出力される音量を制御するマナーモード制御手段と、デジタルテレビ放送波から字幕情報を抽出する字幕情報抽出手段と、上記スピーカから出力される音量が停止状態かどうかに基づいて、抽出した字幕情報をテレビ画像に付加して上記表示画面に表示させる字幕情報表示手段とを備えて構成される。
【０００９】
このような構成により、スピーカから出力される音量が停止状態かどうかに基づいて、自動的に、表示画面に対する字幕情報の表示を行うことができる。スピーカから出力される音量が停止状態とされたマナーモードにおいては、例えば電車内のようにテレビ音声が出力されることにより周囲の人に不快感を与えるような環境下であることが多いので、テレビ音声の出力を停止状態とすることにより周囲の人に不快感を与えるのを防止しつつ、テレビ画像及び字幕情報に基づいてテレビ放送の内容を理解することができる。したがって、煩雑な操作を伴うことなく、環境に応じて適切に字幕情報を表示させることができる。
【００１０】
第２の本発明による携帯情報端末装置は、字幕情報の表示又は非表示を設定するための字幕表示設定手段を備え、上記字幕情報表示手段は、上記スピーカから出力される音量が停止状態のときには、上記字幕表示設定手段により字幕情報を表示させないと設定されている場合であっても、上記表示画面に字幕情報を表示させるように構成される。
【００１１】
このような構成により、字幕情報を表示させないと設定されている場合であっても、スピーカから出力される音量が停止状態のときには、強制的に、字幕情報を表示画面に表示させることができる。したがって、字幕情報を表示させずにテレビ音声を出力するように設定されている場合であっても、スピーカから出力される音量が停止状態とされたマナーモードにおいては、字幕情報を表示画面に表示させ、テレビ画像及び字幕情報に基づいてテレビ放送の内容を理解することができるので、利便性を向上させることができる。
【００１２】
第３の本発明による携帯情報端末装置は、外部出力装置を着脱可能であり、取り付けられた外部出力装置にテレビ音声を出力するための外部出力端子と、上記外部出力端子に外部出力装置が取り付けられたかどうかを検出する外部接続検出手段とを備え、上記字幕情報表示手段は、上記外部接続検出手段の検出結果に基づいて、上記表示画面に字幕情報を表示させるように構成される。
【００１３】
このような構成により、スピーカから出力される音量が停止状態とされ、表示画面に字幕情報が表示されている状態で、外部出力端子に外部出力装置が取り付けられた場合に、表示画面に対する字幕情報の表示を停止させることができる。したがって、外部出力端子に外部出力装置を取り付けることにより、自動的に、字幕情報の表示を停止させ、外部出力装置からテレビ音声を出力させることができるので、利便性を向上させることができる。
【発明の効果】
【００１４】
本発明によれば、スピーカから出力される音量が停止状態かどうかに基づいて、自動的に、表示画面に対する字幕情報の表示を行うことができるので、煩雑な操作を伴うことなく、環境に応じて適切に字幕情報を表示させることができる。スピーカから出力される音量が停止状態とされたマナーモードにおいては、例えば電車内のようにテレビ音声が出力されることにより周囲の人に不快感を与えるような環境下であることが多いので、テレビ音声の出力を停止状態とすることにより周囲の人に不快感を与えるのを防止しつつ、テレビ画像及び字幕情報に基づいてテレビ放送の内容を理解することができる。
【発明を実施するための最良の形態】
【００１５】
図１は、本発明の実施の形態による携帯情報端末装置の一例を示したブロック図であり、携帯情報端末装置の一例として携帯電話機１が示されている。この携帯電話機１は、デジタル受信用アンテナ２１からデジタルテレビ放送波を受信するデジタルテレビ放送受信部２を備え、受信したデジタルテレビ放送波に基づくテレビ画像を液晶表示器３に表示するとともに、そのテレビ画像に対応するテレビ音声をスピーカ４から出力することにより、デジタルテレビ放送を視聴することができるようになっている。
【００１６】
この携帯電話機１は、上述したデジタルテレビ放送受信部２、液晶表示器３及びスピーカ４に加えて、通信部５、受話用レシーバ６、外部入出力端子７、送話用マイクロホン８及び多数の操作キー９を備え、これらの動作が、プロセッサからなる制御部１０により制御されるようになっている。外部入出力端子７には、必要に応じて、イヤホンマイクなどの外部入出力装置１１を取り付けることができる。
【００１７】
通信部５は、通信用アンテナ５１を介して基地局との間で電波の送受信を行うことにより、通話音の送受信を行っている。相手方電話機との間で通話状態が確立された状態では、ユーザの通話音に基づく音声信号が通信部５から送信され、相手方電話機からの通話音に基づく音声信号が通信部５で受信されることにより、通話音がリアルタイムで送受信される。
【００１８】
相手方電話機との間で通話を行う際には、通常、送話用マイクロホン８に口を近づけるとともに、受話用レシーバ６に耳を近づけることにより、良好に通話を行うことができる。また、受話用レシーバ６から出力される場合よりも音声を増幅してスピーカ４から出力することにより、受話用レシーバ６から耳を離した状態で音声を聞くこともできる。
【００１９】
スピーカ４を用いて相手方電話機との間で通話を行う場合には、相手方電話機からの音声が増幅されてスピーカ４から出力されるとともに、送話用マイクロホン８からの入力信号が増幅されることにより、携帯電話機１を把持することなく、いわゆるハンズフリーで通話を行うことができる。このとき、送話用マイクロホン８からの入力信号は、ハウリングを防止するためのキャンセル回路に入力されるようになっている。受話用レシーバ６による通常の通話とハンズフリーによる通話との切り替えは、操作キー９の操作により行うことができる。
【００２０】
また、外部入出力端子７に外部入出力装置１１を接続すれば、その外部入出力装置１１を介して音声を入出力することができる。外部入出力端子７には、外部入出力装置１１の接続端子を着脱することができるようになっており、接続端子の着脱に基づいて、受話用レシーバ６による通常の通話と外部入出力装置１１による通話とが切り替えられるようになっている。
【００２１】
すなわち、外部入出力装置１１の接続端子を外部入出力端子７に取り付けることにより、通常の通話から外部入出力装置１１による通話に切り替えることができ、外部入出力装置１１の接続端子を外部入出力端子７から取り外すことにより、受話用レシーバ６による通常の通話に戻すことができる。
【００２２】
デジタルテレビ放送受信部２が受信するデジタルテレビ放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。したがって、デジタルテレビ放送波に含まれる文字情報を抽出して液晶表示器３に表示させることにより、テレビ画像とともに字幕などの文字情報を表示させることができる。
【００２３】
デジタルテレビ放送受信部２で受信したデジタルテレビ放送波に基づくテレビ音声は、スピーカ４以外に、外部入出力端子７に接続された外部入出力装置１１から出力することも可能である。デジタルテレビ放送の視聴中は、外部入出力端子７に対する外部入出力装置１１の接続端子の着脱に基づいて、テレビ音声の出力がスピーカ４又は外部入出力装置１１に切り替えられるようになっている。
【００２４】
すなわち、外部入出力装置１１の接続端子を外部入出力端子７に取り付けることにより、外部入出力装置１１を介してテレビ音声を聞くことができ、外部入出力装置１１の接続端子を外部入出力端子７から取り外すことにより、スピーカ４を介してテレビ音声を聞くことができる。
【００２５】
ただし、テレビ音声を聞く場合には、音声の入出力が可能なイヤホンマイクなどの外部入出力装置１１ではなく、音声の出力のみが可能なイヤホンなどの外部出力装置を外部入出力端子７に取り付けてもよい。この場合、外部出力装置の接続端子は、音声信号の入出力が可能な外部入出力端子７に接続されるような構成に限らず、外部入出力端子７の代わりに音声信号の出力のみが可能な外部出力端子を設けて、この外部出力端子に外部出力装置の接続端子を接続するような構成であってもよい。
【００２６】
通常、相手方電話機から着信があった場合にはスピーカ４から着信音が出力され、操作キー９を操作した場合にはスピーカ４からキー操作音が出力される。本実施の形態の携帯電話機１は、操作キー９を用いた設定操作により、着信音やキー操作音などのスピーカ４からの音声の出力が停止された音声出力停止モード、いわゆるマナーモードを実行することができるようになっている。
【００２７】
マナーモードでは、例えば、スピーカ４からの音声の出力が完全に停止され、相手方電話機から着信があった場合には、携帯電話機１内に備えられたバイブレーション装置（図示せず）が起動して振動を発生することにより、ユーザに着信を報知することができる。電車内のような環境下においては、マナーモードを実行することにより、着信音やキー操作音がスピーカ４から出力されて周囲の人に不快感を与えるのを防止できる。
【００２８】
本実施の形態では、デジタルテレビ放送波の受信時において、マナーモードが実行されているときには、スピーカ４からのテレビ音声の出力が停止されるようになっている。マナーモードは、予め操作キー９を操作してスピーカ４から音声が出力されないように設定しておくこともできるし、デジタルテレビ放送の視聴中に操作キー９を操作することにより実行することもできる。
【００２９】
図２は、デジタルテレビ放送の受信時における制御部１０の制御について説明するためのブロック図である。本実施の形態において、制御部１０は、プログラム処理を実行することにより、モード切替部１０１、音声制御部１０２、字幕情報抽出部１０３、字幕情報表示部１０４、字幕表示設定部１０５及び外部接続検出部１０６として機能するようになっている。
【００３０】
モード切替部１０１は、ユーザによる操作キー９の操作に基づいて、マナーモードとマナーモードでない通常のモードとを切り替える。音声制御部１０２は、そのとき実行されているモードに応じて、スピーカ４から出力される音量を制御する。すなわち、マナーモード中であれば、スピーカ４から音声が出力されないように制御し、通常のモード中であれば、設定されている音量でスピーカ４から音声が出力されるように制御する。モード切替部１０１及び音声制御部１０２は、ユーザ操作に基づいてスピーカ４から出力される音量を制御するマナーモード制御手段である。
【００３１】
字幕情報抽出部１０３は、受信したデジタルテレビ放送波から字幕情報を抽出する。字幕情報表示部１０４は、抽出された字幕情報をテレビ画像に付加して液晶表示器３に表示させる。抽出された字幕情報は、テレビ画像の下方や上方などに隣接して付加されるような構成であってもよいし、テレビ画像の一部、例えばテレビ画像の下部や上部などに合成されることにより付加されるような構成であってもよい。
【００３２】
液晶表示器３に字幕情報を表示させるかどうかは、ユーザによる操作キー９の操作に基づいて、字幕表示設定部１０５において設定される。したがって、通常のモード中、字幕情報を表示させると設定されていれば、字幕情報表示部１０４が字幕表示設定部１０５からの入力信号に基づいて液晶表示器３に字幕情報を表示させる。一方、通常のモード中、字幕情報を表示させないと設定されていれば、液晶表示器３に字幕情報は表示されない。
【００３３】
字幕情報表示部１０４にはモード切替部１０１からの信号が入力されるようになっており、字幕情報表示部１０４は、マナーモードが実行されているかどうかに基づいて、液晶表示器３に対する字幕情報の表示を制御するようになっている。より具体的には、マナーモードが実行されているとき、字幕情報表示部１０４は、液晶表示器３に字幕情報を表示するように制御を行う。
【００３４】
このような構成により、マナーモードが実行されているかどうかに基づいて、自動的に、液晶表示器３に対する字幕情報の表示を行うことができる。スピーカ４から出力される音量が停止状態とされたマナーモードにおいては、例えば電車内のようにテレビ音声が出力されることにより周囲の人に不快感を与えるような環境下であることが多いので、テレビ音声の出力を停止状態とすることにより周囲の人に不快感を与えるのを防止しつつ、テレビ画像及び字幕情報に基づいてテレビ放送の内容を理解することができる。したがって、煩雑な操作を伴うことなく、環境に応じて適切に字幕情報を表示させることができる。
【００３５】
ここで、字幕表示設定部１０５において字幕情報を表示させないと設定されている場合であっても、マナーモードが実行されているときには、字幕情報表示部１０４は、強制的に、字幕情報を液晶表示器３に表示させるようになっている。したがって、通常のモード中は字幕情報を表示させずにテレビ音声を出力するように設定されている場合であっても、スピーカ４から出力される音量が停止状態とされたマナーモードにおいては、字幕情報を液晶表示器３に表示させ、テレビ画像及び字幕情報に基づいてテレビ放送の内容を理解することができるので、利便性を向上させることができる。
【００３６】
外部接続検出部１０６は、外部入出力端子７に外部入出力装置１１が取り付けられたかどうかを電気的に検出する。字幕情報表示部１０４には外部接続検出部１０６からの検出信号が入力されるようになっており、字幕情報表示部１０４は、外部接続検出部１０６からの検出信号に基づいて、液晶表示器３に対する字幕情報の表示を制御するようになっている。
【００３７】
より具体的には、マナーモードが実行されているとき、液晶表示器３に字幕情報が表示されている状態で、外部入出端子７に外部入出力装置１１が取り付けられた場合には、字幕情報表示部１０４は、液晶表示器３に対する字幕情報の表示を停止させるようになっている。したがって、外部入出力端子７に外部入出力装置１１を取り付けることにより、自動的に、字幕情報の表示を停止させ、外部入出力装置１１からテレビ音声を出力させることができるので、利便性を向上させることができる。
【００３８】
図３は、液晶表示器３に対する字幕情報の表示及び非表示を切り替える際の処理の一例を示したフローチャートである。マナーモード中にデジタルテレビ放送波を受信した場合には（ステップＳ１０１でＹｅｓ、ステップＳ１０２でＹｅｓ）、字幕情報抽出部１０３がデジタルテレビ放送波から字幕情報を抽出し（ステップＳ１０３）、抽出された字幕情報が字幕情報表示部１０４により液晶表示器３に表示される（ステップＳ１０４）。
【００３９】
ここで、マナーモード中にデジタルテレビ放送波を受信した場合とは、マナーモードが実行されている状態でデジタルテレビ放送波を受信した場合、及び、通常のモードでデジタルテレビ放送波を受信しているときにマナーモードが実行された場合の双方を意味するものとする。
【００４０】
その後、外部入出力端子７に外部入出力装置１１が取り付けられ、外部接続検出部１０６から字幕情報表示部１０４に検出信号が入力された場合には（ステップＳ１０５でＹｅｓ）、字幕情報表示部１０４は、液晶表示器３に対する字幕情報の表示を停止させる（ステップＳ１０６）。
【００４１】
図４は、液晶表示器３に字幕情報を表示させる際の液晶表示器３の表示態様を示した概略図である。図４に示すように、デジタルテレビ放送のテレビ画像は、アスペクト比が１６：９の横長形状となっている。
【００４２】
デジタルテレビ放送波を受信しているときには、長方形形状の液晶表示器３の表示画面が、テレビ画像を表示するためのテレビ画像表示領域３１と、デジタルテレビ放送波に含まれるテレビ画像以外の文字情報を表示するためのデータ放送領域３２と、チャンネルや音量などを表示するためのグラフィック領域３３とに分割される。字幕情報が表示される場合には、データ放送領域３２の一部が字幕表示領域３４となり、この字幕表示領域３４内に、例えば３行×１２列の字幕情報が順次に切り替えて表示される。
【００４３】
上記実施の形態では、携帯通信端末装置の一例として携帯電話機１について説明したが、本発明は、携帯電話機１に限らず、携帯型のパーソナルコンピュータやＰＤＡ(Personal Digital Assistance)などの他の携帯情報端末装置にも適用可能である。
【図面の簡単な説明】
【００４４】
【図１】本発明の実施の形態による携帯情報端末装置の一例を示したブロック図であり、携帯情報端末装置の一例として携帯電話機が示されている。
【図２】デジタルテレビ放送の受信時における制御部の制御について説明するためのブロック図である。
【図３】液晶表示器に対する字幕情報の表示及び非表示を切り替える際の処理の一例を示したフローチャートである。
【図４】液晶表示器に字幕情報を表示させる際の液晶表示器の表示態様を示した概略図である。
【符号の説明】
【００４５】
１  携帯電話機
２  デジタルテレビ放送受信部
３  液晶表示器
４  スピーカ
５  通信部
６  受話用レシーバ
７  外部入出力端子
８  送話用マイクロホン
９  操作キー
１０  制御部
１１  外部入出力装置
２１  デジタル受信用アンテナ
３１  テレビ画像表示領域
３２  データ放送領域
３３  グラフィック領域
３４  字幕表示領域
５１  通信用アンテナ
１０１  モード切替部
１０２  音声制御部
１０３  字幕情報抽出部
１０４  字幕情報表示部
１０５  字幕表示設定部
１０６  外部接続検出部
【図１】
2007184728.tif 000003
【図２】
2007184728.tif 000004
【図３】
2007184728.tif 000005
【図４】
2007184728.tif 000006